(57)【要約】【課題】話者が居る位置に応じて画面に表示させる画像を変化させることで、その話者は、その変化された画像を見て恰も他の話者との間でコミュニケーションを取っているかのような感覚を味わうことができる。【解決手段】本発明は、話者から発せられた音声を取得する複数のマイクロホンが特定の方向に配備され、その各マイクロホンで取得された音声に基づいて、話者が各マイクロホンに向かって音声を発した方向と各マイクロホンが配備されている方向との間でなす角度を算出する位置推定部１２０と、位置推定部１２０で算出された角度に基づいて角度と各符号とを照合し、各符号の中から、その角度と一致する符号を検索し、検索した符号に基づいてその符号に対応付けられた画像を取得する画像検索部１３０と、画像検索部１３０で検索された画像を画面に表示する出力部１５０とを備える。【選択図】　　　図１
2004126941.tif 000002
【特許請求の範囲】
【請求項１】
複数の画像のそれぞれには、検索の基準となる符号が対応付けられ、前記各画像を予め記憶する画像記憶手段と、
話者から発せられた音声を取得する複数のマイクロホンが特定の方向に配備され、前記各マイクロホンで取得された音声に基づいて、話者が前記各マイクロホンに向かって音声を発した方向と前記各マイクロホンが配備されている方向との間でなす角度を算出する角度算出手段と、
前記角度算出手段で算出された前記角度に基づいて、該角度と前記各符号とを照合し、各符号の中から、該角度と一致する前記符号を検索し、検索された該符号に対応付けられた前記画像を取得する画像取得手段と、
前記画像取得手段で取得された前記画像を画面に表示する表示手段と
を有することを特徴とする画像表示装置。
【請求項２】
請求項１に記載の画像表示装置であって、
所定のキーワードを予め複数記憶するキーワード記憶手段と、
前記話者から発せられた音声に対応する文字列を認識する文字認識手段とを有し、
前記画像検索手段は、前記文字認識手段で認識された前記文字列に基づいて、該文字列と一致する前記キーワードを検索することができた場合には、前記符号検索手段で検索された前記符号に対応付けられた前記画像を取得する
ことを特徴とする画像表示装置。
【請求項３】
請求項１又は請求項２のいずれかに記載の画像表示装置であって、
前記各画像のそれぞれには、所定のキャラクタの顔が含まれ、該各画像を順次切り替えることにより前記顔は、所定の回転角をもって回転するように表示されることを特徴とする画像表示装置。
【請求項４】
請求項３に記載の画像表示装置であって、
前記画像に対応付けられた前記符号の大きさは、該画像に含まれる前記顔の前記回転角の大きさと一致することを特徴とする画像表示装置。
【請求項５】
複数の画像のそれぞれには、検索の基準となる符号が対応付けられ、前記各画像は予め記憶され、
話者から発せられた音声を取得する複数のマイクロホンが特定の方向に配備され、前記各マイクロホンで取得された音声に基づいて、話者が前記各マイクロホンに向かって音声を発した方向と前記各マイクロホンが配備されている方向との間でなす角度を算出するステップと、
算出された前記角度に基づいて、該角度と前記各符号とを照合し、各符号の中から、該角度と一致する前記符号を検索し、検索された該符号に対応付けられた画像を取得するステップと、
取得された前記画像を画面に表示するステップと
を有することを特徴とする画像表示方法。
【請求項６】
請求項５に記載の画像表示方法であって、
所定のキーワードは予め複数記憶され、
前記話者から発せられた音声に対応する文字列を認識するステップと、
認識された前記文字列に基づいて、該文字列と一致する前記キーワードを検索することができた場合には、検索された前記符号に対応付けられた前記画像を取得するステップと
を有することを特徴とする画像表示方法。
【請求項７】
請求項５又は請求項６のいずれかに記載の画像表示方法であって、
前記各画像のそれぞれには、所定のキャラクタの顔が含まれ、該各画像を順次切り替えることにより前記顔は、所定の回転角をもって回転するように表示されることを特徴とする画像表示方法。
【請求項８】
請求項７に記載の画像表示方法であって、
前記画像に対応付けられた前記符号の大きさは、該画像に含まれる前記顔の前記回転角の大きさと一致することを特徴とする画像表示方法。
【請求項９】
複数の画像のそれぞれには、検索の基準となる符号が対応付けられ、前記各画像は予め記憶され、
コンピュータに、
話者から発せられた音声を取得する複数のマイクロホンが特定の方向に配備され、前記各マイクロホンで取得された音声に基づいて、話者が前記各マイクロホンに向かって音声を発した方向と前記各マイクロホンが配備されている方向との間でなす角度を算出するステップと、
算出された前記角度に基づいて、該角度と前記各符号とを照合し、各符号の中から、該角度と一致する前記符号を検索し、検索された該符号に対応付けられた前記画像を取得するステップと、
取得された前記画像を画面に表示するステップと
を有する処理を実行させるプログラム。
【請求項１０】
請求項９に記載のプログラムであって、
所定のキーワードは予め複数記憶され、
前記話者から発せられた音声に対応する文字列を認識するステップと、
認識された前記文字列に基づいて、該文字列と一致する前記キーワードを検索することができた場合には、検索された前記符号に対応付けられた前記画像を取得するステップと
を有する処理を実行させるプログラム。
【請求項１１】
請求項９又は請求項１０のいずれかに記載のプログラムであって、
前記各画像のそれぞれには、所定のキャラクタの顔が含まれ、該各画像を順次切り替えることにより前記顔は、所定の回転角をもって回転するように表示されることを特徴とするプログラム。
【請求項１２】
請求項１１に記載のプログラムであって、
前記画像に対応付けられた前記符号の大きさは、該画像に含まれる前記顔の前記回転角の大きさと一致することを特徴とするプログラム。
【発明の詳細な説明】
【０００１】
【発明の属する技術分野】
本発明は、話者の居る位置に応じた画像を画面に表示させる画像表示装置、画像表示方法及びプログラムに関する。
【０００２】
【従来の技術】
従来から、コンピュータが話者との間で話す音声システムがある（例えば、特許文献１参照。）。これにより、遊技場等の人が多く出入りするような場所に音声システムを構築すれば、その音声を発するコンピュータは、一種の広告塔としての機能を果たすことができる。また、特に一人暮らしの者が、自宅に音声システムを配備すれば、音声を発するコンピュータが、その者からの音声に応じて所定の回答文を出力するので、かかる者は、少しでも一人暮らしの寂しさを紛らわすことができる。
【０００３】
【特許文献１】
特開２００２−１６９８０４（第５−１３、第１５図）
【０００４】
【発明が解決しようとする課題】
しかしながら、話者が上記コンピュータに対して発話したとしても、コンピュータが単にその発話に対して所定の回答文を出力していただけであるので、その話者は何か物足りなさを感じていた。このため、従来からは、話者に飽きさせることのないキャラクタの動作を見せることで、話者をより楽しませ、話者がそのキャラクタとの間でコミュニケーションを取っているかのような感覚を味わせることのできるシステムの開発が望まれていた。
【０００５】
そこで、本発明は以上の点に鑑みてなされたものであり、話者が居る位置に応じて画面に表示された画像を変化させることで、その話者が、その変化された画像を見て恰も他の話者との間でコミュニケーションを取っているかのような感覚を味わうことのできる画像表示装置、画像表示方法及びプログラムを提供することを課題とする。
【０００６】
【課題を解決するための手段】
本発明は、上記課題を解決すべくなされたものであり、複数の画像のそれぞれには、検索の基準となる符号が対応付けられ、その各画像を予め記憶し、話者から発せられた音声を取得する複数のマイクロホンが特定の方向に配備され、その各マイクロホンで取得された音声に基づいて、話者が各マイクロホンに向かって音声を発した方向と各マイクロホンが配備されている方向との間でなす角度を算出し、算出された角度に基づいて角度と各符号とを照合し、各符号の中から、角度と一致する符号を検索し、検索された符号に基づいて符号に対応付けられた画像を取得し、取得された画像を画面に表示することを特徴とする。
【０００７】
このような本願に係る発明によれば、画像表示装置は、話者から発せられた音声の方向と各マイクロホンが配備されている方向との間でなす角度（以下、「入射角度」とする）に基づいて、その入射角度と一致する符号に対応付けられた画像を画面に表示することができる。また、画像表示装置は、画面上の画像を一義的に動作させるのではなく、話者が居る位置に応じて画像を動作させることができるので、その話者は、画面上に表示された画像との間でコミュニケーションを取っているかのような感覚を味わうことができる。
【０００８】
上記構成においては、各画像のそれぞれには、所定のキャラクタの顔が含まれ、その各画像を順次切り替えることにより顔は、所定の回転角をもって回転するように表示されることが好ましい。また、画像に対応付けられた符号の大きさは、画像に含まれる顔の回転角の大きさと一致することが好ましい。
【０００９】
この場合には、画像表示装置は、話者から発せられた音声の入射角度に応じて、画面に表示された顔の画像の回転角を変えることができる。特に、この入射角度と顔の回転角の大きさとが一致していれば、話者が所定の音声を発すれば、画面に表示された顔の画像が話者の方向を向くので、その話者は、恰もその顔画像とコミュニケーションを取っているかのような感覚を味わうことができる。
【００１０】
尚、画像表示装置は、所定のキーワードを予め複数記憶し、話者から発せられた音声に対応する文字列を認識し、認識された文字列に基づいて文字列と一致するキーワードを検索することができた場合には、検索された符号に対応付けられた画像を取得することが好ましい。
【００１１】
この場合には、画像表示装置は、話者から発せられた音声に対応する文字列に基づいて、その文字列と一致するキーワードを検索することができたときは、検索された符号に対応付けられた画像を表示することができる。この結果、話者は、自己の特定の言葉に反応して画面上の画像が動くので、恰もその画像との間でコミュニケーションを取っているかのような感覚を味わうことができる。
【００１２】
尚、各キーワードの内容としては、各話者との間で最初又は最後に交わされる挨拶文等が挙げられる。この場合には、話者は、特定の挨拶文を発すれば、その挨拶文に反応して画面上の画像が動くので、話者は、画面上の画像との間で親密な関係を有するかのような感覚を味わうことができる。この結果、話者は、画面上の画像との間でより多くの出来事を話そうとする動機付けが高まり、退屈な時間をより楽しく過ごすことができる。
【００１３】
【発明の実施の形態】
［実施形態］
（画像表示装置の基本構成）
本発明に係る画像表示装置について図面を参照しながら説明する。図１は、本実施形態に係る画像表示装置１００の内部構造を示す図である。同図に示すように、画像表示装置１００は、話者の居る位置に応じた画像を画面に表示させるものである。画像表示装置１００は、本実施形態では、音声入力部１１０と、位置推定部１２０と、画像検索部１３０と、画像記憶部１４０と、出力部１５０とを有する。
【００１４】
前記音声入力部１１０は、話者から発せられた音声を取得するものである。この音声入力部１１０は、本実施形態では、複数のマイクロホンで構成することができる。具体的に、話者から発せられた音声を取得した音声入力部１１０は、取得した音声を音声信号として位置推定部１２０に出力する。
【００１５】
位置推定部１２０は、話者から発せられた音声に基づいて話者の位置を推定するものである。ここで、話者の位置は、図２に示すように、座標系で示すことができる。この座標系は、話者が居るであろう位置を示す仮想的なものである。これら各座標は、本実施形態では、（ｘｉ、ｙｊ）｛ｉ＝１、２、・・・ｎ；ｊ＝１、２、・・・ｍ｝で示すものとする。尚、位置推定部１２０は、本実施形態では、推定した位置を座標系で特定しているが、極座標系で特定してもよい。
【００１６】
具体的に、音声入力部１１０から音声信号が入力された位置推定部１２０は、先ず入力された複数の音声信号に基づいて、それら音声信号の相互相関関数を、全てのマイクロホンの組み合わせについて計算する。この相互相関関数を計算した位置推定部１２０は、計算した相互相関関数に基づいて、予め決められた一の基準マイクロホンと他のマイクロホンとの間の最大値を与える時間差を求める。
【００１７】
この位置推定部１２０は、求めた時間差に基づいて話者（音源）の位置を推定する（参考文献：特開平１１−３０４９０６）。話者の位置を推定した位置推定部１２０は、推定した位置を位置信号として画像検索部１３０に出力する。尚、その他の複数のマイクロホンから得られる音声信号を処理して話者の位置を推定する方法は、文献「音響システムと信号処理」、大賀他、電子情報通信学会の７章に詳述されている。
【００１８】
画像検索部１３０は、位置推定部１２０で推定された位置に基づいて、その位置と予め記憶された各位置情報とを照合し、各位置情報の中から、その位置と一致する位置情報を検索するものである。また、画像検索部１３０は、検索した位置情報に基づいて、その位置情報に対応付けられた画像を取得するものでもある。
【００１９】
ここで、複数の画像のそれぞれには、話者が位置するであろうと予測される位置情報が対応付けられている。この各画像（画像パターン１−１、画像パターン１−２・・・）は、本実施形態では、図４に示すように、予め画像記憶部１４０に記憶されている。
【００２０】
具体的に、位置推定部１２０から位置信号が入力された画像検索部１３０は、入力された位置信号に対応する話者の位置と、予め記憶された各位置情報とを照合し、各位置情報の中から、その話者の位置と一致する位置情報を検索する。画像検索部１３０は、その検索した位置情報に対応付けられた画像パターンを取得する。画像検索部１３０は、その取得した画像パターンを画像信号として出力部１５０に出力する。
【００２１】
出力部１５０は、画像検索部１３０で検索された画像パターンを画面に表示するものである。出力部１５０は、本実施形態では、液晶ディスプレイ等が挙げられる。具体的に、画像検索部１３０から画像信号が入力された出力部１５０は、入力された画像信号に基づいて、画像信号に対する画像パターンを画面に表示する。
【００２２】
尚、各画像のそれぞれには、所定のキャラクタを含めてもよい。また、その各画像のそれぞれに対応付けられた位置情報には、上記キャラクタを特定の領域に表示させるための領域情報を対応付けてもよい。この特定の領域は、図５に示すように、本実施形態では、キャラクタが移動する方向、例えば水平方向に設けられるものとする。ここで、キャラクタは、本実施形態では、現存の人物、架空の人物又は動物等を意味するものである。
【００２３】
具体的に、キャラクタは、本実施形態では、図５及び図６に示すように、話者が居る位置に応じて、基準領域、Ａ領域〜Ｄ領域のいずれかの領域に移動する。この基準領域は、本実施形態では、キャラクタが最初に位置する領域を意味する。キャラクタは、その基準領域を中心として、Ａ領域〜Ｄ領域のいずれかの領域へと移動する。
【００２４】
即ち、出力部１５０は、画像検索部１３０で検索された位置情報に対応付けられた領域情報に基づいて、その領域情報に対応する領域に、検索された位置情報に対応付けられた画像に含まれるキャラクタを表示する。これにより、出力部１５０は、話者が居る位置に応じてキャラクタを移動させることができる。
【００２５】
尚、各領域は、図６に示すように、話者が居る（位置する）であろうと予測される上記位置情報と相応する配置関係に設けることが好ましい。即ち、各領域は、各位置情報に対応する各位置の関係と相対的に釣り合いが取れた配置関係に設けることが好ましい。
【００２６】
例えば、各位置情報に対応する各位置が、図６に示すように、音声入力部１１０の中央部分（同図中の”基準領域”）である場合には、上記基準領域は、その各位置と相対的に釣り合いが取れた部分、即ち画面の中央部分（図５中の”基準領域”）に設ける。これと同様にして、Ａ〜Ｄ領域も各位置情報に対応する各位置と相応する部分に設けることができる。これにより、話者が特定の方向に移動したときは、画面上のキャラクタは、その方向と同一の方向に移動することができる。
【００２７】
（画像表示装置を用いた画像表示方法）
上記構成を有する画像表示装置による画像表示方法は、以下の手順により実施することができる。図７は、本実施形態に係る画像表示方法の手順を示すフロー図である。
【００２８】
先ず、音声入力部１１０が、話者から発せられた音声を取得するステップを行う（Ｓ１０１）。この音声入力部１１０は、本実施形態では、複数のマイクロホンで構成することができる。具体的に、話者から発せられた音声を取得した音声入力部１１０は、取得した音声を音声信号として位置推定部１２０に出力する。
【００２９】
そして、位置推定部１２０が、話者から発せられた音声に基づいて話者の位置を推定するステップを行う（Ｓ１０２）。具体的に、音声入力部１１０から音声信号が入力された位置推定部１２０は、先ず入力された複数の音声信号に基づいて、それら音声信号の相互相関関数を、全てのマイクロホンの組み合わせについて計算する。
【００３０】
この相互相関関数を計算した位置推定部１２０は、計算した相互相関関数に基づいて、予め決められた一の基準マイクロホンと他のマイクロホンとの間の最大値を与える時間差を求める。位置推定部１２０は、求めた時間差に基づいて話者（音源）の位置を推定する（参考文献：特開平１１−３０４９０６）。話者の位置を推定した位置推定部１２０は、推定した位置を位置信号として画像検索部１３０に出力する。
【００３１】
次いで、出力部１５０が、画像検索部１３０で検索された画像を画面に表示するステップを行う（Ｓ１０３）。具体的に、位置推定部１２０から位置信号が入力された画像検索部１３０は、入力された位置信号に対応する話者の位置と、予め記憶された各位置情報とを照合し、各位置情報の中から、その話者の位置と一致する位置情報を検索する。
【００３２】
その画像検索部１３０は、その検索した位置情報に対応付けられた画像パターンを取得する。画像検索部１３０は、その取得した画像パターンを画像信号として出力部１５０に出力する。画像検索部１３０から画像信号が入力された出力部１５０は、入力された画像信号に基づいて、画像信号に対する画像パターンを画面に表示する。
【００３３】
（画像表示装置及び画像表示方法による作用及び効果）
このような本願に係る発明によれば、出力部１５０が、位置推定部１２０で推定された話者の位置に基づいて、その位置と一致する位置情報に対応付けられた画像を画面に表示することができる。即ち、出力部１５０は、話者が居る位置に応じて特定の画像を画面に表示することができる。
【００３４】
また、出力部１５０は、画像検索部１３０で検索された位置情報に対応付けられた領域情報に基づいて、その領域情報に対応する領域に、検索された位置情報に対応付けられた画像に含まれるキャラクタを表示することができる。これにより、キャラクタが移動する方向に各領域が設けられている場合には、出力部１５０は、例えば、話者の移動に伴なって画面上のキャラクタを同方向に移動させることができるので、その話者は、そのキャラクタとの間で恰もコミュニケーションを取っているかのような感覚を味わうことができる。
【００３５】
［変更例］
尚、本発明は、上記実施形態に限定されるものではなく、以下に示す変更を加えることができる。
【００３６】
（第一変更例）
図８に示すように、音声入力部１１０を構成する各マイクロホン１１１ａ〜１１１ｃは、特定の方向に配備してもよい。本変更例では、各マイクロホン１１１ａ〜１１１ｃは、一列に並べるものとする。また、位置推定部１２０は、各マイクロホンで取得された音声に基づいて、話者が各マイクロホンに向かって音声を発した方向と各マイクロホンが配備されている方向との間でなす角度を算出するものであってもよい。
【００３７】
ここで、図８は、二つのマイクロホン１１１ｂ、１１１ｃに平面波が入力する様子を示すものである。この二つのマイクロホン１１１ｂ、１１１ｃに平面波が入力された時間差が幾何学的に何を示しているのかを説明するものである。同図中の破線は平面波の等位相面を示す。同図は、これらの平面波が、先ずマイクロホン１１１ｂに到達し、遅れてマイクロホン１１１ｃに到達する様子を描いている。
【００３８】
同図に示すように、各平面波が各マイクロホン１１１ｂ、１１１ｃに到達する時間差（到達時間差）は、各マイクロホンの間隔と入射角度θの余角との積を正規化音速ｃで除したものである。すなわち、到達時間差は、マイクロホン間隔ｃｏｓθ／ｃとして表現することができる。
【００３９】
この入射角度θは、本変更例では、話者が各マイクロホン１１１ａ〜１１１ｃに向かって音声を発した方向と各マイクロホン１１１ａ〜１１１ｃが配備されている方向との間でなす角度を意味する。すなわち、入射角度θは、話者から発せられた音声に対応する平面波が進行する方向と各マイクロホン１１１ａ〜１１１ｃが配備されている方向との間でなす角度を意味するものである。本変更例では、入射角度θは、図８に示すように、二方向の間でなす内角の角度、又は外角の角度を示すものとする。
【００４０】
上記式を変形すると、入射角度θは、ａｒｃｃｏｓ（ｃ到達時間差／マイクロホン間隔）となる。従って、入射角度θは、到達時間差とマイクロホン間隔が分かれば特定することができる。具体的に、各マイクロホンから音声信号が入力された位置推定部１２０は、入力された各音声信号に基づいて、少なくとも二つの音声信号が入力された時間差を算出する。この時間差は上記到達時間差とすることができる。
【００４１】
この到達時間差を算出した位置推定部１２０は、上式に従って、算出した到達時間差と、上記各音声信号を取得した各マイクロホンの間隔とに基づいて平面波の入射角度θを算出する。位置推定部１２０は、その算出した入射角度θを角度信号として画像検索部１３０に出力する。
【００４２】
画像検索部１３０は、位置推定部１２０で算出された入射角度θに基づいて、この入射角度θと予め設定された各符号とを照合し、各符号の中から、入射角度θと一致する符号を検索するものであってもよい。この符号は、本変更例では角度情報として表現する。
【００４３】
ここで、本変更例では、各画像のそれぞれには、所定のキャラクタの顔が含まれ、その各画像を順次切り替えることにより顔は、所定の回転角をもって回転するように表示されるものとなっている。また、画像に対応付けられた角度情報の大きさは、本変更例では、画像に含まれる顔の回転角の大きさと一致するものとなっている。
【００４４】
すなわち、図１０に示すように、正面を向いている顔は、回転角を有しないので、例えば、正面を向いた顔の画像２−０には、角度情報０を対応付ける。同様にして、図１１に示すように、斜め３０°の方向を向いている顔は、回転角３０°を有するので、例えば、斜め３０°の方向を向いている顔の画像２−３０には、角度情報３０を対応付ける。
【００４５】
具体的に、位置推定部１２０から角度信号が入力された画像検索部１３０は、入力された角度信号に対応する入射角度θに基づいて、各角度情報の中から、入射角度θ（例えば、３）と一致する角度情報３を検索する。この角度情報３を検索した画像検索部１３０は、検索した角度情報３に基づいて、角度情報３に対応付けられた画像２−３を取得する。出力部１５０は、画像検索部１３０で検索された画像２−３を画面に表示する。
【００４６】
このような本変更例に係る発明によれば、画像検索部１３０は、位置推定部１２０で算出された入射角度θに基づいて、その入射角度θと一致する角度情報に対応付けられた画像を画面に表示させることができる。また、画像検索部１３０は、画面上の画像を一義的に動作させるのではなく、話者の位置に応じて画像を動作させることができるので、その話者は、画面上に表示された画像との間でコミュニケーションを取っているかのような感覚を味わうことができる。
【００４７】
更に、画像検索部１３０は、話者から発せられた音声の入射角度に応じて、画面に表示された顔の画像の回転角を変えることができる。これにより、話者が所定の音声を発すれば、画面に表示された顔の画像が話者の方向を向くので、その話者は、恰もその顔画像との間でコミュニケーションを取っているかのような感覚を味わうことができる。
【００４８】
（第二変更例）
尚、画像記憶部１４０は、所定のキーワードを予め複数記憶するものであってもよい。また、音声入力部１１０は、話者から発せられた音声に対応する文字列を認識するものであってもよい。更に、画像検索部１３０は、音声入力部１１０で認識された文字列に基づいて文字列と一致するキーワードを検索することができた場合には、自部で検索した角度情報（符号）に対応付けられた画像を取得することが好ましい。
【００４９】
この場合には、画像検索部１３０は、話者から発せられた音声に対応する文字列に基づいて、その文字列と一致するキーワードを検索することができたときは、検索した角度情報に対応付けられた画像を出力部１５０で表示させることができる。この結果、話者は、自己の特定の言葉に反応して画面上の画像が動くので、恰もその画像との間でコミュニケーションを取っているかのような感覚を味わうことができる。
【００５０】
尚、各キーワードの内容としては、各話者との間で最初又は最後に交わされる挨拶文等が挙げられる。この場合には、話者は、特定の挨拶文を発すれば、その挨拶文に反応して画面上の画像が動くので、話者は、画面上の画像との間で親密な関係を有するかのような感覚を味わうことができる。この結果、話者は、画面上の画像との間でより多くの出来事を話そうとする動機付けが高まり、退屈な時間をより楽しく過ごすことができる。
【００５１】
［プログラム］
上記画像表示装置及び画像表示方法で説明した内容は、パーソナルコンピュータ等の汎用コンピュータで、所定のプログラム言語で記述された専用プログラムを実行することにより実現することができる。
【００５２】
このような本実施形態に係るプログラムによれば、話者が居る位置に応じて画面に表示させる画像を変化させることで、その話者が、その変化された画像を見て恰も他の話者との間でコミュニケーションを取っているような感覚を味わうことができるという作用効果を奏する画像表示装置及び画像表示方法を一般的な汎用コンピュータで容易に実現することができる。
【００５３】
尚、プログラムは、記録媒体に記録することができる。この記録媒体は、図１２に示すように、例えば、ハードディスク２００、フレキシブルディスク３００、コンパクトディスク４００、ＩＣチップ５００、カセットテープ６００などが挙げられる。このようなプログラムを記録した記録媒体によれば、プログラムの保存、運搬、販売などを容易に行うことができる。
【００５４】
【発明の効果】
以上説明したように本発明によれば、話者が居る位置に応じて画面に表示された画像を変化させることで、その話者は、その変化された画像を見て恰も他の話者との間でコミュニケーションを取っているかのような感覚を味わうことができる。
【図面の簡単な説明】
【図１】本実施形態に係る画像表示装置の内部構成を示すブロック図である。
【図２】本実施形態における音声入力部の前で話者が行動するであろうと予想される仮想的な範囲を示す図である。
【図３】本実施形態における位置推定部で推定された話者の位置を示す図である。
【図４】本実施形態における画像記憶部で記憶される各位置情報及び各画像の内容を示す図である。
【図５】本実施形態における画面で所定のキャラクタが移動する様子を示す図である。
【図６】本実施形態における出力部が話者の位置に応じてキャラクタを画面上に表示させる各領域を示す図である。
【図７】本実施形態に係る画像表示方法の手順を示すフロー図である。
【図８】本変更例における位置推定部が平面波の入射角度を特定する様子を示す図である。
【図９】本変更例における画像記憶部で記憶する各角度情報及び各画像の内容を示す図である。
【図１０】変更例における出力部で表示する人物のキャラクタを示す図である（その１）。
【図１１】変更例における出力部で表示する人物のキャラクタを示す図である（その２）。
【図１２】本実施形態におけるプログラムを記録する記録媒体を示す図である。
【符号の説明】
１００…画像表示装置、１１０…音声入力部、１１１…マイクロホン、１２０…位置推定部、１３０…画像検索部、１４０…画像記憶部、１５０…出力部、１６０…画像検索部、２００…ハードディスク、３００…フレキシブルディスク、４００…コンパクトディスク、５００…ＩＣチップ、６００…カセットテープ
【図１】
2004126941.tif 000003
【図２】
2004126941.tif 000004
【図３】
2004126941.tif 000005
【図４】
2004126941.tif 000006
【図５】
2004126941.tif 000007
【図６】
2004126941.tif 000008
【図７】
2004126941.tif 000009
【図８】
2004126941.tif 000010
【図９】
2004126941.tif 000011
【図１０】
2004126941.tif 000012
【図１１】
2004126941.tif 000013
【図１２】
2004126941.tif 000014